(57)【特許請求の範囲】
【請求項１】
複数の記憶エリアのそれぞれに対して、入力される単音の音程又は複数音の音程を示す音程情報を順番に記憶させる記憶手段と、
前記複数の記憶エリアの総てに対して音程情報の記憶が完了したことに応答して、総ての記憶エリアの記憶内容に基づいて一番低音程又は一番高音程の一音の音程情報（基準音程情報）を検出する検出手段と、
鍵盤部を操作することによって与えられた複数音のそれぞれの音程情報の内で、最も高音程又は最も低音程のいずれかの或る一音の音程情報（抽出音程情報）を抽出する抽出手段と、
前記検出手段で検出された基準音程情報で示される音程と前記抽出手段で抽出された抽出音程情報で示される音程とのシフト量を求めるシフト量検出手段と、
前記記憶手段の各記憶エリアに記憶された音程情報を予め設定された順番で読み出して、この順番で読み出した各音程情報が示す音程に対して、前記シフト量検出手段で求められたシフト量分だけ高音程側又は低音程側にシフトした音程に対応する音出力を順次行っていく音出力制御手段と、を備えたことを特徴とする演奏情報入出力装置。
【請求項２】
請求項１に記載の演奏情報入出力装置において、
操作部による特定演奏モードの選択指示に応答して、或る押鍵操作が行われ次にこの或る押鍵操作に対応する離鍵操作が行われまでの第１の操作期間、又は、或る押鍵操作が行われ次に新たな押鍵操作が行われるまでの第２の操作期間においてのみ、前記記憶エリアに記憶された音程情報を読出しこの読み出した音程情報に対応する音を継続出力することを、新たに前記第１の操作期間又は前記第２の操作期間が発生する度に、読出し対象となる記憶エリアを順番に変更して行う特定演奏モード実行手段を更に備えたことを特徴とする演奏情報入出力装置。
【発明の詳細な説明】
【技術分野】
【０００１】
本発明は、演奏情報入出力装置に係わり、特に演奏情報を出力する際の操作性を向上するための装置に関する。
【背景技術】
【０００２】
予めステップ毎に演奏音程情報を記録しておき、必要時に各ステップ毎の音程情報に対応する音楽データを出力する、いわゆるステップ入力方式の演奏情報入力装置（音楽用ステップシーケンサ）が多数提案されてきた。その中で、例えば、音高指定操作子を操作したままの状態で時刻指定手段により指定する時間を変更し、変更した時刻に音程指定操作子の操作を解除するという簡易な操作により、音高指定操作子を操作したままの状態で変更した時刻に相当する音長の楽音を示す演奏情報を入力することが可能な装置が提案されている（例えば、特許文献１参照）。
【０００３】
【特許文献１】特開２００２−２５８８４９号公報（第３−５頁、第４図）
【発明の開示】
【発明が解決しようとする課題】
【０００４】
つまり、この装置は、リズム音を示す演奏情報に限られずベース音の任意の音長の楽音を示す演奏情報を容易に入力可能なマンマシンインターフェイスを付加した装置を提供するものであった。このように、従来ではマンマシーンインターフェイス等を改良する発明が数多く提案されてきたが、音楽用ステップシーケンサを演奏する際の各音程の再調整等、演奏時の操作性の向上を目的とした提案はあまり存在しなかった。そして、この音楽用ステップシーケンサを演奏する際の各音程の再調整には多大な時間がかかるため、これを解消させる事が従来から望まれていた。
【０００５】
本発明は、かかる従来の課題を解決するためになされたもので、演奏する際に各音程を再調整することを容易とした演奏情報入出力装置を提供することを目的とする。
【課題を解決するための手段】
【０００６】
上記目的を達成するために、本発明は、複数の記憶エリアのそれぞれに対して、入力される単音の音程又は複数音の音程を示す音程情報を順番に記憶させる記憶手段と、
前記複数の記憶エリアの総てに対して音程情報の記憶が完了したことに応答して、総ての記憶エリアの記憶内容に基づいて一番低音程又は一番高音程の一音の音程情報（基準音程情報）を検出する検出手段と、
鍵盤部を操作することによって与えられた複数音のそれぞれの音程情報の内で、最も高音程又は最も低音程のいずれかの或る一音の音程情報（抽出音程情報）を抽出する抽出手段と、
前記検出手段で検出された基準音程情報で示される音程と前記抽出手段で抽出された抽出音程情報で示される音程とのシフト量を求めるシフト量検出手段と、
前記記憶手段の各記憶エリアに記憶された音程情報を予め設定された順番で読み出して、この順番で読み出した各音程情報が示す音程に対して、前記シフト量検出手段で求められたシフト量分だけ高音程側又は低音程側にシフトした音程に対応する音出力を順次行っていく音出力制御手段と、を備えたことを特徴とする構成とした。
【０００７】
この発明によれば、検出手段が、記憶手段の複数の記憶エリアの総てに対して音程情報の記憶が完了したことに応答して、総ての記憶エリアの記憶内容に基づいて一番低音程又は一番高音程の一音の音程情報（基準音程情報）を検出し、また、抽出手段が、鍵盤部を操作することによって与えられた複数音のそれぞれの音程情報の内で、最も高音程又は最も低音程のいずれかの或る一音の音程情報（抽出音程情報）を抽出する。次いで、シフト量検出手段は、検出手段で検出された基準音程情報で示される音程と抽出手段で抽出された抽出音程情報で示される音程とのシフト量を求める。そして、音出力制御手段が、記憶手段の各記憶エリアに記憶された音程情報を予め設定された順番で読み出して、この順番で読み出した各音程情報が示す音程に対して、シフト量検出手段で求められたシフト量分だけ高音程側又は低音程側にシフトした音程に対応する音出力を順次行っていくので、演奏する際の各音程の再調整を容易とすることができる。
【０００８】
また、請求項２に係る発明は、この演奏情報入出力装置において、更に、特定演奏モード実行手段が、操作部による特定演奏モードの選択指示に応答して、或る押鍵操作が行われ次にこの或る押鍵操作に対応する離鍵操作が行われまでの第１の操作期間、又は、或る押鍵操作が行われ次に新たな押鍵操作が行われるまでの第２の操作期間においてのみ、前記記憶エリアに記憶された音程情報を読出しこの読み出した音程情報に対応する音を継続出力することを、新たに前記第１の操作期間又は前記第２の操作期間が発生する度に、読出し対象となる記憶エリアを順番に変更して行う機能を有するので、斬新な態様の演奏モードを提供することを可能にすると共に、音程情報の録音を確実に行うことが可能になる。
【発明の効果】
【０００９】
本発明によれば、演奏する際に各音程を再調整することを容易とした演奏情報入出力装置が実現可能になるという効果が得られる。
【発明を実施するための最良の形態】
【００１０】
以下、本発明を実施するための最良の形態を図面を参照しつつ説明する。
【００１１】
（構成）
図１は演奏情報入出力装置１の構成図である。この演奏情報入出力装置１は、装置全体の動作を統括する制御部４０と各種の操作子（不図示）を備えていて各種の所望の操作を行うための操作部５０とを有し、制御部４０は操作部５０を用いてどのような操作が行われたかを把握可能に構成されている。また、演奏用操作子としての鍵盤部１０を備え、鍵盤部１０の押鍵に応じて、それに対応する単音や複数音（和音等）のノートデータ（音程を示す音程情報に対応するＭＩＤＩデータ）が出力される。また、鍵盤部１０からは、押鍵操作時にはノートオン信号が出力されると共に、離鍵時にはノートオフ信号が出力されるように構成している。そして、鍵盤部１０から出力されたノートデータに応じた音を、Ｄ／Ａ変換部８１でデジタルアナログ変換してスピーカー９１から放音させるための音出力を行う音源部７１が設けられている。つまり、鍵盤部１０の操作に応答して、通常発生されるべき音信号がスピーカー９１から出力される構成になっている。
【００１２】
他方、ステップシーケンサ部３０から出力される音情報（音程情報、音量情報、音長情報等を含む情報）に応じた音をスピーカー９０から放音させるべく、音源部７０は音信号をデジタルアナログ変換機能を有するＤ／Ａ変換部８０に供給する。また、制御部４０は、ＬＥＤ群やＬＣＤ等からなる点灯部４５を点灯制御可能に構成されている。
【００１３】
スイッチング部６０は、その接続又は非接続が制御部４０によって制御されるもので、制御部４０がスイッチング部６０を接続状態とした場合には、鍵盤部１０からの各種のＭＩＤＩデータがノートデータ抽出部２０に供給されるように構成されている。一方、制御部４０がスイッチング部６０を非接続制御した場合には、鍵盤部１０からの各種のＭＩＤＩデータが直接、ステップシーケンサ部３０に供給されるように構成されている。
【００１４】
ノートデータ抽出部２０は、鍵盤部１０を操作することによって与えられる単音や複数音（和音）のそれぞれのノートデータ（音程情報）に基づいて、予め設定した抽出規則にしたがって或る一音の音程情報（抽出音程情報）を抽出する構成とされている。この抽出規則は、操作部５０の操作子の操作によって変更可能に構成され、制御部４０はこの抽出規則の変更操作を把握して、ノートデータ抽出部２０に通知する。かくして、ノートデータ抽出部２０は変更設定された抽出規則にしたがって、或る１音のノートデータを抽出してステップシーケンサ部３０に供給する。
【００１５】
この抽出規則としては、（１）入力されたノートデータの内で最も最後に（最も新しく）押鍵された鍵に対応するノートデータ（音程情報）を抽出する規則「Ｌａｓｔモード」、（２）同時に複数の鍵が押鍵された場合、最も音程の低いノートデータ（音程情報）を抽出する規則「Ｌｏｗモード」、および、（３）同時に複数の鍵が押鍵された場合、最も音程の高いノートデータ（音程情報）を抽出する規則「Ｈｉｇｈモード」等がある。操作部５０の操作によって、抽出規則を選択すると、制御部４０はこれをノートデータ抽出部２０に通知し、ノートデータ抽出部２０は選択操作された抽出規則を採用する構成となっている。なお、抽出規則はこれらの例に限られないが、複数の抽出規則のいずれかをユーザが選択操作可能になっているので演奏時の音程の再調整が入念に行える。
【００１６】
次に、ステップシーケンサ部３０の構成や動作について説明する。図２はステップシーケンサ部３０内に設けられたメモリ３１の記憶エリアの説明図である。ステップシーケンサ部３０は、そのメモリ３１内において、音程情報を含む音情報を記憶する音情報記憶エリア３２、ベースノート記憶エリア３４を備えている。図２では、説明の都合上、音情報記憶エリア３２がＳ１〜Ｓ４までの４個の記憶エリアとして示されているが、実際にはエリア数は４個に限られなく例えば１６個等のエリア数になる。この各音情報記憶エリアＳ１〜Ｓ４に記憶される情報が、１ステップとして実行される１単位の情報となる。
【００１７】
図３は音楽情報記憶エリア３２の各エリアＳ１〜Ｓ４における音情報の記憶状態を示した説明図である。各エリアＳ１〜Ｓ４には音程情報、音量情報、音長情報からなる音情報が記憶されている。図３に示す例ではエリアＳ１には、複数音の音情報として、音程情報「Ｃ４、Ｅ４、Ｇ４」、音量情報「７０」、音長情報「０．８」が記憶されており、また、エリアＳ４には、単音の音情報として、音程情報「Ｃ５」、音量情報「８０」、音長情報「０．６」が記憶されている。なお、音情報記憶エリアに記憶される音情報はこれらの例に限られないのは言うまでもない。
【００１８】
そして、操作部５０を操作して録音指示を与えると制御部４０はスイッチング部６０が非接続状態となるように制御する。これによって、鍵盤部１０からＭＩＤＩデータが直接、ステップシーケンサ部３０に供給される。これに応じてステップシーケンサ部３０は、各エリアＳ１〜Ｓ４に音情報をエリア順に記憶するように構成されている。また、ステップシーケンサ部３０は録音完了時、即ち、総ての音情報記憶エリアＳ１〜Ｓ４に音情報が記憶された時点で、自動的にこれらのエリアＳ１〜Ｓ４において最も低い音程の音程情報（基準音程情報）を検出し、この検出した基準音程情報をベースノート記憶エリア３４（Ｂａ）に記憶するように構成されている。なお、ステップシーケンサ部３０は録音完了時、エリアＳ１〜Ｓ４において最も高い音程の音程情報を検出して、この検出した音程情報をベースノート記憶エリア３４（Ｂａ）に記憶するようにしても良い。
【００１９】
（動作）
先ず、録音時の動作について説明する。操作部５０を介して録音モードを選択すると、制御部４０はこれを把握してスイッチング部６０を非接続状態にすると共に、点灯部４５を点灯制御して「録音モード」になっていることをユーザーに通知する。これによって、鍵盤部１０から出力されるＭＩＤＩデータ（音程情報、押鍵、離鍵情報等を含む）が、ステップシーケンサ部３０の音情報記憶エリアＳ１〜Ｓ４に順番に記憶するための操作が可能とされる。この各記憶エリア毎の、即ち１ステップ毎の音情報の記憶は、ユーザーが操作部５０を操作して１ステップずつ行う。この際、各ステップ毎に記憶されていく音程情報、音量情報、音長情報を点灯部４５のＬＣＤ表示により確認可能になっている。
【００２０】
そして、最後のエリアＳ４に対する音情報の記憶が完了するとステップシーケンサ部３０は自動的に、総てのエリアに記憶された音程情報に基づいて、最も低い音程の音程情報（又は最も高い音程の音情報）を検出（基準音程情報）して、ベースノート記憶エリア３４にこれを記憶する。かくして、音情報記憶エリア３２、ベースノート情報記憶エリア３４に所望の情報が記憶される
【００２１】
次に演奏時の動作について説明する。操作部５０を介して演奏モードを選択すると、制御部４０はこれを把握してスイッチング部６０を接続状態にすると共に、点灯部４５を点灯制御して「演奏モード」になっていることをユーザーに通知する。これによって、鍵盤部１０から出力されるＭＩＤＩデータ（音程情報、押鍵、離鍵情報等を含む）が、ノートデータ抽出部２０に供給される。このノートデータ抽出部２０は操作部５０によって選択操作された抽出規則（この例では「同時に複数の鍵が押鍵された場合、最も音程の低いノートデータを抽出する「Ｌｏｗモード」を選択したと仮定する」）によって或る一音の音程情報を抽出してステップシーケンサ部３０に出力する。例えば、鍵盤１０の操作に応じて「ド、ミ、ソ」の３音が入力されると最も低い音程「ド」を抽出音程情報として抽出、出力する。
【００２２】
次いで、ステップシーケンサ部３０は、既にベースノート記憶エリア３４に記憶されている基準音程情報で示される音程とノートデータ抽出部２０で抽出された抽出音程情報で示される音程とのシフト量を求める。そして、ステップシーケンサ部３０は、各記憶エリアＳ１〜Ｓ４に記憶された音程情報を予め設定された順番（本実施形態では、Ｓ１→Ｓ２→Ｓ３→Ｓ４の順番）で読み出して、この順番で読み出した各音程情報が示す音程に対して、求められたシフト量分だけシフトした音程に対応する音出力を各記憶エリア順に行うべく音源部７０を駆動制御する。
【００２３】
例えば、録音モード時に各エリアＳ１〜Ｓ４にそれぞれ「ド、レ、ミ、ファ」の音程情報が記憶されているとすれば、ベースノート記憶エリア３４には一番低音程の「ド」を示す音程情報が記憶されることになる。この状態で演奏モードに移行して鍵盤１０で「ド、レ、ミ」を弾くとノートデータ抽出部２０はＬｏｗモード規則により最も低い音として「ド」の音程情報を抽出する。ステップシーケンサ部３０はベースノート記憶エリア３４には一番低音程の「ド」を示す音程情報が記憶されることになる。この状態で演奏モードに移行して鍵盤１０で「ド、レ、ミ」と弾くと、ノートデータ抽出部２０はＬｏｗモード規則により最も低い音として「ド」の音程情報を抽出する。そして、ステップシーケンサ部３０は、ベースノート記憶エリア３４の音程情報が示す音程「ド」と、ノートデータ抽出部２０が抽出した最も低い音「ド」のシフト量を求めるが、この場合にはシフト量は「０」であるので、結局「ド、レ、ミ、ファ」の音出力が行われる。
【００２４】
一方、前述のようにベースノート記憶エリア３４に「ド」を示す音程情報が記憶されている場合において、演奏モードに移行して鍵盤１０で「レ、ミ、ファ」を弾くと、ノートデータ抽出部２０はＬｏｗモード規則により最も低い音として「レ」の音程情報を抽出する。そして、ステップシーケンサ部３０は、ベースノート記憶エリア３４の音程情報が示す音程「ド」と、ノートデータ抽出部２０が抽出した最も低い音「レ」のシフト量を求めるが、この場合にはシフト量は「２半音分」である。よって、各エリアＳ１〜Ｓ４に記憶されている「ド、レ、ミ、ファ」の音程を総て「２半音分」高音程側にシフトして音出力が行われる。この結果、「レ、ミ、ファ♯、ソ」の音出力が行われることになる。なお、音源部７１は鍵盤部１０から供給されるＭＩＤＩデータに基づいて、通常演奏での音出力を行う。
【００２５】
以上説明してきたように、ステップシーケンサ部３０が、記憶エリアＳ１〜Ｓ４の総てに対して音程情報の記憶が完了したことに応答して、総ての記憶エリアＳ１〜Ｓ４の記憶内容に基づいて一番低音程又は一番高音程の或る一音の音程情報（基準音程情報）を検出しこれをベースノート記憶エリア３４に記憶する。また、ノートデータ抽出部２０が、鍵盤部１０（演奏用操作子）を操作することによって与えられた複数音のそれぞれの音程情報に基づき、予め設定した抽出規則にしたがって或る一音の音程情報（抽出音程情報）を抽出する。次いで、ステップシーケンサ部３０は、ベースノート記憶エリア３４に記憶される基準音程情報で示される音程とノートデータ抽出部２０で抽出された抽出音程情報で示される音程とのシフト量を求める。そして、ステップシーケンサ部３０が、各記憶エリアＳ１〜Ｓ４に記憶された音程情報を予め設定された順番で読み出して、この順番で読み出した各音程情報が示す音程に対して、先に求めたシフト量分だけ高音程側又は低音程側にシフトした音程に対応する音出力を順次行っていくので、演奏する際に各音程を再調整することを容易とすることができる。なお、「Ｌｏｗモード」を抽出規則として採用する場合、抽出音程情報が示す音程より基準音程情報が示す音程の方が低音程側であれば、両音程のシフト量分だけ高音程側にシフトして音出力を行う一方、抽出音程情報が示す音程より基準音程情報が示す音程の方が高音程側であれば、両音程のシフト量分だけ低音程側にシフトして音出力を行うように構成すれば良い。
【００２６】
（他の動作）
図４（ａ）、（ｂ）、（ｃ）は演奏時の音出力動作の説明図である。演奏モードには「ワンショットモード」、「ループモード」および「ステップモード」があり、操作部５０のモード選択操作によっていずれかの演奏モードを選択可能に構成されている。つまり、操作部５０の演奏モード選択操作を制御部４０が検出してこの検出情報をステップシーケンサ部３０に送信する。これによって、ステップシーケンサ部３０が選択された演奏モードでの音出力を行う。なお、この時、スイッチング６０は接続状態となるように制御される。
【００２７】
今、各記憶エリアＳ１〜Ｓ４のそれぞれには既に「Ｓ１、Ｓ２、Ｓ３、Ｓ４」なる音情報が記憶されているものとする。なお、説明の都合上、図４に示すＳ１〜Ｓ４は、対応する記憶エリアＳ１〜Ｓ４に記憶されている音情報に対応する音出力を示している。ユーザが操作部５０を用いてモード操作した場合には制御部４０はこれを検出して、選択操作された演奏モードをステップシーケンサ部３０に通知する。これに応答して、ステップシーケンサ部３０は、音情報Ｓ１〜Ｓ４に基づいて、選択された演奏モードでの音出力を行うように音源部７０を駆動する。
【００２８】
先ず、「ワンショットモード」が選択された場合には、ステップシーケンサ部３０は、Ｓ１、Ｓ２、Ｓ３、Ｓ４の音出力を１サイクル分だけ実行する。つまり、ノートオンデータ（押鍵情報）を受け付けてノートオフデータ（離鍵）を受けるまでの間、図４（ａ）に示すように、Ｓ１、Ｓ２、Ｓ３、Ｓ４の音出力を１サイクル分だけ実行する。なお、図４（ｂ）においてはノートオンからノートオフまでの時間が短いのでＳ１、Ｓ２と、Ｓ３の途中までの音出力が行われる。また、図４（ｃ）に示すように、ノートオンが順次行われている場合には、ノートオフが到来するまで、Ｓ１、Ｓ２、Ｓ３、Ｓ４の１サイクルの音出力が実行する。この場合は、最初のノートオンから次のノートオフまでの間において、Ｓ１、Ｓ２、Ｓ３、Ｓ４の１サイクルの音出力時間が確保されている状態である。
【００２９】
次に「ループモード」が選択された場合には、ステップシーケンサ部３０は、Ｓ１、Ｓ２、Ｓ３、Ｓ４の各音出力をループ状に繰り返し実行する。つまり、ノートオンデータ（押鍵情報）を受け付けてノートオフデータ（離鍵）を受けるまでの間に、図４（ａ）に示すように、Ｓ１、Ｓ２、Ｓ３、Ｓ４の音出力を繰り返して実行する。なお、図４（ａ）では２回目のＳ３の音出力の途中にノートオフされる状態を示している。また、図４（ｂ）においてはノートオンからノートオフまでの時間が短いのでＳ１、Ｓ２とＳ３の途中までの音出力が行われるだけなので、実質的にはワンショントモードと同じくなる。そして、図４（ｃ）に示すように、ノートオンが順次行われている場合には、ノートオフが到来するまでＳ１、Ｓ２、Ｓ３、Ｓ４の音出力をループ状に繰り返し行う。なお、図４（ｃ）では２サイクル目のＳ２の音出力の途中で音出力が強制的に終了された状態を示している。
【００３０】
次に「ステップモード」が選択された場合には、ステップシーケンサ部３０は、Ｓ１、Ｓ２、Ｓ３、Ｓ４の音出力を１ステップずつ実行する。つまり、ノートオンデータ（押鍵情報）を受け付けてノートオフデータ（離鍵）を受けるまでの間を一操作として、この一操作の間において、Ｓ１、Ｓ２、Ｓ３、Ｓ４の音出力を１つずつ繰り返して実行する。図４（ａ）の例では押鍵に応じて１つ目のＳ１の音出力が開始され、次にノートオフとなるまでの間、このＳ１の音出力を継続する。また、図４（ｂ）に示すようにノートオンからノートオフまでの時間が短くなっても、ノートオンに応答して次のステップの音であるＳ２の音出力を開始させ、ノートオフとなるまでの間、この音出力は継続される。そして、図４（ｃ）に示すように、ノートオンが順次行われている場合には、次に、ノートオフが到来するまで、順番に次ステップＳ３、Ｓ４、Ｓ１の音出力をステップ進行に伴って行う。なお、図４（ｃ）では２サイクル目のＳ１の音出力継続中にノートオフが到来したので、Ｓ１の音出力を強制的に終了しいる状態を示している。
【００３１】
つまり、この「ステップモード」が選択されると、或るノートオン信号（或る押鍵操作）が得られ、次にこの或るノートオン信号に対応するノートオフ信号（対応する離鍵操作）が得られるまでの第１期間（図４（ａ）、（ｂ）参照）、又は、或るノートオン信号（或る押鍵操作が行われること）が得られ、次に新たなノートオン信号（新たな押鍵操作が行われる）が得られまでの第２期間（図４（ｃ）参照）においてのみ、ステップシーケンサ部３０が、記憶エリア（Ｓ１〜Ｓ４）に記憶された音程情報を読出しこの読み出した音程情報に対応する音を継続出力することを、新たに第１期間又は第２期間が発生する度に、読出し対象となる記憶エリアを順番に変更して行う。したがって、「ステップモード」を選択した場合には、斬新な演奏操作が可能になると共に、録音モード時にこれを選択すると、各ステップ毎に確実に音程情報を記憶させることが可能となる。
【００３２】
なお、図１に示す制御部４０、ノートデータ抽出部２０、ステップシーケンサ部３０、音源部７０、音源部７１等は、ＲＯＭ等の記録媒体に記録された動作プログラムをＲＡＭ等のメモリを使用しながらＣＰＵが実行する構成によって実現できる。なお、図１の構成では鍵盤部１０からＭＩＤＩデータが供給される構成としたが、ＭＩＤＩデータの通信機能を備えた楽器、あるいは、単なる装置であれば本発明を適用し得る。  
【産業上の利用可能性】
【００３３】
以上説明してきたように、音楽分野において優れた機能を有する演奏情報入出力装置を提供することができる。
【図面の簡単な説明】
【００３４】
【図１】演奏情報入出力装置１の構成図である。
【図２】音情報記憶エリア３２、ベースノート記憶エリア３４の構成の説明図である。
【図３】音情報記憶エリア３２における音情報記憶例の説明図である。
【図４】動作の説明図である。
【符号の説明】
【００３５】
１  演奏情報入出力装置
１０  鍵盤部  
２０  ノートデータ抽出部
３０  ステップシーケンサ部
３１  メモリ
３２  音情報記憶エリア
３４  ベースノート記憶エリア
４０  制御部
４５  点灯部
５０  操作部
７０  音源部
７１  音源部
８０  Ｄ／Ａ変換部
８１  Ｄ／Ａ変換部
９０  スピーカー
９１  スピーカー
【図１】
0004420882.tif 000002
【図２】
0004420882.tif 000003
【図３】
0004420882.tif 000004
【図４】
0004420882.tif 000005